(57)【要約】【課題】  空調装置に蓄積される埃については、高性能のフィルターを取付け、こまめにメンテナンスする方法に対して、コイルに直接室内空気を導くのでなく、ろ過された新鮮空気をコイルに導きそれを加熱してコイルにより送り、目的の空間で輻射熱に変換して空調に資する装置が提案されている。しかし、これは床の温度の調整ができない、外断熱により外壁の厚さが厚い場合や出窓の場合、吹き出す空気による結露防止効果は高く望めなかった。【解決手段】  エアーパネルヒーターを外壁の内側において建築と一体化した形状により輻射熱を出す装置に温風あるいは冷風を送り、床下全域に新鮮かつ微温風あるいは冷風の空気を循環させて、併せて床面の温度も調整し得るように構成されている。【選択図】  図１
2005077045.tif 000002
【特許請求の範囲】
【請求項１】
エアーパネルヒーターを外壁の内側において建築と一体化した形状により輻射熱を出す装置に温風あるいは冷風を送り、戻りのダクトを省略することで床下全域に新鮮かつ微温風あるいは冷風の空気を循環させて、併せて床面の温度も調整し得る建築と一体化したことを特徴とする換気・輻射暖房装置。
【請求項２】
請求項１記載の換気・輻射暖房装置において、当該換気・輻射暖房装置の上部に窓の開口部に対して新鮮空気を吹き出すよう構成し結露の発生を抑制することを特徴とする換気・輻射暖房システム。
【請求項３】
フレーム部（１）と、新鮮空気導入パイプ部（２）から構成され、フレーム部（１）は、正面左右に長い方形に構成された下方板（１Ａ）と、下方板の左右に連結起立された側縦板（１Ｂ）と、側縦板の上端に連結された天板（１Ｃ）と、これらの正面に張設された輻射板（１Ｄ）と、背面に張設された背面板（１Ｅ）から構成され、さらに、天板（１Ｃ）には左右方向に長い帯状の新鮮空気吹出し口（１Ｃ１）が形成され、新鮮空気導入パイプ部（２）は、フレーム部（１）内の右方側に沿って起立された縦パイプ（２Ａ）と、縦パイプの上端に左方に向け連結された横パイプ（２Ｂ）と、横パイプの上面に新鮮空気吹出し口（１Ｃ１）と対応するよう刻設された新鮮空気吹出し用スリット（２Ｂ１）から構成され、フレーム部（１）の下方板（１Ａ）の右方に往き用連結口（１Ａ１）が開口され、また、下方板（１Ａ）の左方に還り用連結口（１Ａ２）が開口されていることを特徴とする換気・輻射暖房装置。
【請求項４】
横パイプの上面に刻設された新鮮空気吹出し用スリット（２Ｂ１）に代え、新鮮空気吹出し用小穴（２Ｂ２）を適数個穿設した請求項３記載の換気・輻射暖房装置。
【請求項５】
新鮮空気導入パイプ部（２）に代え、ガイドベーン（２Ｃ）を使用し、ガイドベーン（２Ｃ）は、フレーム部（１）内に平行状態で上下方向に仕切った状態で配設された適数枚のガイドベーン単体（２Ｃ１）で構成され、各ガイドベーン単体（２Ｃ１）の右方端には上方に行くほど少しずつ小さくなる往き用開口（２Ｃ１１）が開設され、各ガイドベーン単体（２Ｃ１）のうち一番上のガイドベーン単体以外の各ガイドベーン単体（２Ｃ１）の左方端には下方に行くほど少しずつ大きくなる還り用開口（２Ｃ１２）が開設されている請求項３記載の換気・輻射暖房装置。
【請求項６】
請求項３ないし請求項５のいずれかに記載の換気・輻射暖房装置において、下方板（１Ａ）における往き用連結口（１Ａ１）から換気・輻射暖房装置に入った加熱された新鮮空気の一部は、新鮮空気導入パイプ部（２）、新鮮空気吹出し用スリット（２Ｂ１）を通って新鮮空気吹出し口（１Ｃ１）から室内空間（８Ｂ６）内に上昇排出され、また、新鮮空気の残りは、換気・輻射暖房装置に入ったのち下方板（１Ａ）における還り用連結口（１Ａ２）から排出すると共に、新鮮空気吹出し口（１Ｃ１）を窓（８Ｂ１１）の下方に位置するよう配設すると、上昇排出された新鮮空気によって結露現象を防止することができるよう構成されていることを特徴とする換気・輻射暖房システム。
【請求項７】
第１フレーム部（３）と、第１輻射パネル部（４）から構成され、    第１フレーム部（３）は、正面左右に長い方形に構成された下方板（３Ａ）と、下方板の左右に連結起立された側縦板（３Ｂ）と、側縦板の上端に連結された天板（３Ｃ）と、これらの背面に張設された背面板（３Ｄ）から構成され、そして、下方板（３Ａ）における左方端近傍には還り用連結口（３Ａ１）が、また、右方端近傍には往き用連結口（３Ａ２）が開設され、さらに、天板（３Ｃ）の後方辺には左右方向に長い帯状の新鮮空気吹出し口（３Ｃ１）が形成され、
第１輻射パネル部（４）は、第１フレーム部（３）内に平行状態で上下方向をもって水平に配設された輻射パネル単体（４Ａ）と、上下に位置する輻射パネル単体（４Ａ、４Ａ）間に配される中間連結枠（４Ｂ）と、最下位の輻射パネル単体の下面に配される下端水平枠（４Ｃ）と、最上位の輻射パネル単体の上面に配される上端水平枠（４Ｄ）から構成され、
輻射パネル単体（４Ａ）は、正面横長方形の面板体（４Ａ１）と、面板体の上辺に連設された断面略逆Ｕ字状の上方わん曲体（４Ａ２）と、面板体の下辺に連設された断面略Ｕ字状の下方わん曲体（４Ａ３）から構成され、中間連結枠（４Ｂ）は、輻射パネル単体（４Ａ）を上下方向に併設した場合、これらを連結すると共に、新鮮空気の通路を形成し、当該中間連結枠における左方端近傍には還り用開口（４Ｂ２Ｋ）が、また、右方端近傍には往き用開口（４Ｂ２Ｕ）が開設され、還り用開口（４Ｂ２Ｋ）と下方板（３Ａ）の還り用連結口（３Ａ１）の位置が一致し、往き用開口（４Ｂ２Ｕ）と下方板（３Ａ）の往き用連結口（３Ａ２）の位置が一致するよう構成され、各傾斜板（４Ｂ２３）に開口されている還り用開口（４Ｂ２Ｋ）と往き用開口（４Ｂ２Ｕ）は、最下方の開口が一番大きく上方に行くほど少しずつ小さくなるよう構成され、最上端に位置する傾斜板（４Ｂ２３）には、右方端近傍に往き用開口（４Ｂ２Ｕ）のみが開設されていることを特徴とする換気・輻射暖房装置。
【請求項８】
請求項７記載の換気・輻射暖房装置において、下方板（３Ａ）における往き用連結口（３Ａ２）から換気・輻射暖房装置に入った加熱された新鮮空気は、各往き用開口（４Ｂ２Ｕ）を通って上昇するが、各輻射パネル単体（４Ａ）において還り用開口（４Ｂ２Ｋ）方向に分流し還り用開口（４Ｂ２Ｋ）を通り、下方板（３Ａ）における還り用連結口（３Ａ１）から排出され、さらに、最上部に位置する輻射パネル単体（４Ａ）まで達した新鮮空気は、天板における帯状の新鮮空気吹出し口（３Ｃ１）より室内空間（８Ｂ６）内に上昇排出され、新鮮空気吹出し口（３Ｃ１）を窓（８Ｂ１１）の下方に位置するよう配設すると、上昇排出された新鮮空気によって結露現象を防止することができるよう構成されていることを特徴とする換気・輻射暖房システム。
【請求項９】
第２フレーム部（５）と、第２輻射パネル部（６）と、通気用仕切り部（７）から構成され、
第２フレーム部（５）は、正面左右に長い方形に構成された下方板（５Ａ）と、下方板の左右に連結起立された側縦板（５Ｂ）と、側縦板の上端に連結された天板（５Ｃ）と、これらの背面に張設された背面板（５Ｄ）から構成され、そして、下方板（５Ａ）における左方端近傍には還り用連結口（５Ａ１）が、また、右方端近傍には往き用連結口（５Ａ２）が開設され、  さらに、天板（５Ｃ）の後方辺には左右方向に長い帯状の新鮮空気吹出し口（５Ｃ１）が形成され、
第２輻射パネル部（６）は、第２フレーム部（５）内の正面部分に平行状態で左右方向に配設された適数枚の輻射パネル単体（６Ａ）と、適数本の縦連結枠（６Ｂ）から構成され、輻射パネル単体（６Ａ）は、正面縦長方形の面板体（６Ａ１）と、面板体の左右辺に後方に向け形成された断面略Ｕ字状のわん曲体（６Ａ２）から構成され、縦連結枠（６Ｂ）は、横断面がクサビ状に構成された縦棒状に構成され、輻射パネル単体（６Ａ）を左右方向に併設した場合、左右の輻射パネル単体で挟持されるよう構成され、
通気用仕切り部（７）は、左右方向に連設された輻射パネル単体（６Ａ）の背面において、最下位に水平状態で配された下端輻射パネル単体（７Ａ）と、最上位に水平状態で配された上端輻射パネル単体（７Ｂ）と、これらの間に配された中間輻射パネル単体（７Ｃ）から構成され、各輻射パネル単体の右方端には上方に行くほど少しずつ小さくなる往き用開口（７Ｅ）が開設され、各輻射パネル単体のうち、上端輻射パネル単体（７Ｂ）以外の各輻射パネル単体の左方端には下方に行くほど少しずつ大きくなる還り用開口（７Ｆ）が開設され、下端輻射パネル単体（７Ａ）と、上端輻射パネル単体（７Ｂ）は、通気を有する断面略コ字状の部材で構成され、下端輻射パネル単体（７Ａ）の中央には通気を左右部分に分離するブロック（７Ｇ）が配設されていることを特徴とする換気・輻射暖房装置。
【請求項１０】
請求項９記載の換気・輻射暖房装置において、下方板（５Ａ）における往き用連結口（５Ａ２）から換気・輻射暖房装置に入った加熱された新鮮空気は、各往き用開口（７Ｅ）を通って上昇するが、通気用仕切り部（７）において還り用開口（７Ｆ）方向に分流し還り用開口（７Ｆ）を通り、下方板（５Ａ）における還り用連結口（５Ａ１）から排出し、さらに、最上部に達した温風は、天板における帯状の新鮮空気吹出し口（５Ｃ１）より室内空間（８Ｂ６）内に上昇排出され、新鮮空気吹出し口（５Ｃ１）を窓（８Ｂ１１）の下方に位置するよう配設すると、上昇排出された新鮮空気によって結露現象を防止することができるよう構成されていることを特徴とする換気・輻射暖房システム。
【発明の詳細な説明】
【技術分野】
【０００１】
本発明は、新規な構成を有する換気・輻射暖房装置と換気・輻射暖房システムに関するものである。
【背景技術】
【０００２】
シックハウスの問題が指摘されてから久しいが、経年後の空調装置に蓄積される埃については、高性能のフィルターを取付け、こまめにメンテナンスすることでしか処理の方法がないと考えられてきた。
【０００３】
本出願人は、先に空気を熱媒とする半密閉容器であるエアーパネルヒーターを開発提案した。
【０００４】
これは、コイルに直接室内空気を導くのでなく、ろ過された新鮮空気をコイルに導きそれを加熱してコイルにより送り、目的の空間で輻射熱に変換して空調に資する装置にしたものである。（「特許文献１」参照）
【特許文献１】特許第２０７１６０６号公報
【発明の開示】
【発明が解決しようとする課題】
【０００５】
従来の技術で述べたものにあっては、床の温度の調整ができないなどの問題を有していた。
【０００６】
また、エアーパネル上部よりファンコイルユニットを経た新鮮空気を換気用として吹き出す構造となっていたが、特に外断熱により外壁の厚さが厚い場合や出窓の場合、吹き出す空気による結露防止効果は高く望めなかった。
【０００７】
本発明は、従来の技術の有するこのような問題点に鑑みなされたものであり、その目的とするところは、下記のことができるものを提供しようとするものである。
【０００８】
従来のエアーパネルヒーターにおいて、本発明の換気・輻射暖房装置では背面の室内自然循環による加熱を切り捨て、表面輻射を重視する床から窓下まで壁と一体化する形状に変更した。
【０００９】
冷温風を供給するダクトは設けるが、戻りのダクトはこれを設けず、換気・輻射暖房装置の戻り開口部は床下に開放とする。
【００１０】
換気・輻射暖房装置の上部を窓下部の棚板につき付けとし、その裏側に通気経路を形成して、サッシの近傍で開放する。
【００１１】
換気・輻射暖房装置・システムにおいて
Ａ．輻射放熱体に室内空気を吸入することのない構造は、今日発生しているシックハウス対策として極めて重要なテーマである。しかしながら、新鮮空気を吹き出す輻射放熱体上部に設けられたスリットやブリーズラインは、そのままではエアーパネルまたは同放熱体の負圧側が室内空気を吸入する可能性がある。それを図示する。（図２６）
Ｂ．密閉室内を想定し、床下にファンコイルユニット、室内に密閉輻射放熱体を想定すると、同放熱体の内部の気圧は図２５のようになる。
【００１２】
この状態に例えば換気装置を追加し同放熱体にスリットやブリーズラインを設けて新鮮空気を吹き出させようとする時、そのままでは図２６のような現象が起きる。
【００１３】
Ｃ．この吸気は室内の汚染された空気をサプライ系に呼び込むことになるので長期の時
間経過の後にはシックハウスの構成要件となる。
【００１４】
これを解決する構造は図１、図２、図３に示すが、要はファンコイルユニットが動作す
ることによる負圧の影響をこの半密閉輻射放熱体の構造に工夫を加えて解消することで解決しようとするものである。（図１、図２、図３）
【課題を解決するための手段】
【００１５】
請求項１記載の発明は、エアーパネルヒーターを外壁の内側において建築と一体化した
形状により輻射熱を出す装置に温風あるいは冷風を送り、戻りのダクトを省略することで床下全域に新鮮かつ微温風あるいは冷風の空気を循環させて、併せて床面の温度も調整し得る建築と一体化したことを特徴とするものである。
【００１６】
請求項２記載の発明は、請求項１記載の発明において、換気・輻射暖房装置の上部に窓
の開口部に対して新鮮空気を吹き出すよう構成し結露の発生を抑制することを特徴とするものである。
【００１７】
請求項３記載の発明は、フレーム部１と、新鮮空気導入パイプ部２から構成され、フレ
ーム部１は、正面左右に長い方形に構成された下方板１Ａと、下方板の左右に連結起立された側縦板１Ｂと、側縦板の上端に連結された天板１Ｃと、これらの正面に張設された輻射板１Ｄと、背面に張設された背面板１Ｅから構成され、さらに、天板１Ｃには左右方向に長い帯状の新鮮空気吹出し口１Ｃ１が形成され、新鮮空気導入パイプ部２は、フレーム部１内の右方側に沿って起立された縦パイプ２Ａと、縦パイプの上端に左方に向け連結された横パイプ２Ｂと、横パイプの上面に新鮮空気吹出し口１Ｃ１と対応するよう刻設された新鮮空気吹出し用スリット２Ｂ１から構成され、フレーム部１の下方板１Ａの右方に往き用連結口１Ａ１が開口され、また、下方板１Ａの左方に還り用連結口１Ａ２が開口されていることを特徴とするものである。
【００１８】
請求項４記載の発明は、請求項３記載の発明において、横パイプの上面に刻設された新
鮮空気吹出し用スリット２Ｂ１に代え、新鮮空気吹出し用小穴２Ｂ２を適数個穿設したことを特徴とするものである。
【００１９】
請求項５記載の発明は、請求項３記載の発明において、新鮮空気導入パイプ部２に代え
、ガイドベーン２Ｃを使用し、ガイドベーン２Ｃは、フレーム部１内に平行状態で上下方向に仕切った状態で配設された適数枚のガイドベーン単体２Ｃ１で構成され、各ガイドベーン単体２Ｃ１の右方端には上方に行くほど少しずつ小さくなる往き用開口２Ｃ１１が開設され、各ガイドベーン単体２Ｃ１のうち一番上のガイドベーン単体以外の各ガイドベーン単体２Ｃ１の左方端には下方に行くほど少しずつ大きくなる還り用開口２Ｃ１２が開設されていることを特徴とするものである。
【００２０】
請求項６記載の発明は、請求項３ないし請求項５のいずれかに記載の発明において、下
方板１Ａにおける往き用連結口１Ａ１から換気・輻射暖房装置に入った加熱された新鮮空気の一部は、新鮮空気導入パイプ部２、新鮮空気吹出し用スリット２Ｂ１を通って新鮮空気吹出し口１Ｃ１から室内空間８Ｂ６内に上昇排出され、また、新鮮空気の残りは、換気・輻射暖房装置に入ったのち下方板１Ａにおける還り用連結口１Ａ２から排出すると共に、新鮮空気吹出し口１Ｃ１を窓８Ｂ１１の下方に位置するよう配設すると、上昇排出された新鮮空気によって結露現象を防止することができるよう構成されていることを特徴とするものである。
【００２１】
請求項７記載の発明は、第１フレーム部３と、第１輻射パネル部４から構成され、
Ａ．第１フレーム部３は、正面左右に長い方形に構成された下方板３Ａと、下方板の左
右に連結起立された側縦板３Ｂと、側縦板の上端に連結された天板３Ｃと、これらの背面に張設された背面板３Ｄから構成され、そして、下方板３Ａにおける左方端近傍には還り用連結口３Ａ１が、また、右方端近傍には往き用連結口３Ａ２が開設され、さらに、天板３Ｃの後方辺には左右方向に長い帯状の新鮮空気吹出し口３Ｃ１が形成され、
Ｂ．第１輻射パネル部４は、第１フレーム部３内に平行状態で上下方向をもって水平に
配設された輻射パネル単体４Ａと、上下に位置する輻射パネル単体４Ａ、４Ａ間に配される中間連結枠４Ｂと、最下位の輻射パネル単体の下面に配される下端水平枠４Ｃと、最上位の輻射パネル単体の上面に配される上端水平枠４Ｄから構成され、
輻射パネル単体４Ａは、正面横長方形の面板体４Ａ１と、面板体の上辺に連設された断
面略逆Ｕ字状の上方わん曲体４Ａ２と、面板体の下辺に連設された断面略Ｕ字状の下方わん曲体４Ａ３から構成され、
中間連結枠４Ｂは、輻射パネル単体４Ａを上下方向に併設した場合、これらを連結する
と共に、新鮮空気の通路を形成し、当該中間連結枠における左方端近傍には還り用開口４Ｂ２Ｋが、また、右方端近傍には往き用開口４Ｂ２Ｕが開設され、
還り用開口４Ｂ２Ｋと下方板３Ａの還り用連結口３Ａ１の位置が一致し、往き用開口４
Ｂ２Ｕと下方板３Ａの往き用連結口３Ａ２の位置が一致するよう構成され、
各傾斜板４Ｂ２３に開口されている還り用開口４Ｂ２Ｋと往き用開口４Ｂ２Ｕは、最下
方の開口が一番大きく上方に行くほど少しずつ小さくなるよう構成され、
最上端に位置する傾斜板４Ｂ２３には、右方端近傍に往き用開口４Ｂ２Ｕのみが開設さ
れていることを特徴とするものである。
【００２２】
請求項８記載の発明は、請求項７記載の発明において、下方板３Ａにおける往き用連結
口３Ａ２から換気・輻射暖房装置に入った加熱された新鮮空気は、各往き用開口４Ｂ２Ｕを通って上昇するが、各輻射パネル単体４Ａにおいて還り用開口４Ｂ２Ｋ方向に分流し還り用開口４Ｂ２Ｋを通り、下方板３Ａにおける還り用連結口３Ａ１から排出され、さらに、最上部に位置する輻射パネル単体４Ａまで達した新鮮空気は、天板における帯状の新鮮空気吹出し口３Ｃ１より室内空間８Ｂ６内に上昇排出され、新鮮空気吹出し口３Ｃ１を窓８Ｂ１１の下方に位置するよう配設すると、上昇排出された新鮮空気によって結露現象を防止することができるよう構成されていることを特徴とするものである。
【００２３】
請求項９記載の発明は、第２フレーム部５と、第２輻射パネル部６と、通路用仕切り部
７から構成され、
Ａ．第２フレーム部５は、正面左右に長い方形に構成された下方板５Ａと、下方板の左
右に連結起立された側縦板５Ｂと、側縦板の上端に連結された天板５Ｃと、これらの背面に張設された背面板５Ｄから構成され、そして、下方板５Ａにおける左方端近傍には還り用連結口５Ａ１が、また、右方端近傍には往き用連結口５Ａ２が開設され、さらに、天板５Ｃの後方辺には左右方向に長い帯状の新鮮空気吹出し口５Ｃ１が形成され、
Ｂ．第２輻射パネル部６は、第２フレーム部５内の正面部分に平行状態で左右方向に配
設された適数枚の輻射パネル単体６Ａと、適数本の縦連結枠６Ｂから構成され、輻射パネル単体６Ａは、正面縦長方形の面板体６Ａ１と、面板体の左右辺に後方に向け形成された断面略Ｕ字状のわん曲体６Ａ２から構成され、縦連結枠６Ｂは、横断面がクサビ状に構成された縦棒状に構成され、輻射パネル単体６Ａを左右方向に併設した場合、左右の輻射パネル単体で挟持されるよう構成され、
Ｃ．通気用仕切り部７は、左右方向に連設された輻射パネル単体６Ａの背面において、
最下位に水平状態で配された下端輻射パネル単体７Ａと、最上位に水平状態で配された上端輻射パネル単体７Ｂと、これらの間に配された中間輻射パネル単体７Ｃから構成され、各輻射パネル単体の右方端には上方に行くほど少しずつ小さくなる往き用開口７Ｅが開設され、各輻射パネル単体のうち、上端輻射パネル単体７Ｂ以外の各輻射パネル単体の左方端には下方に行くほど少しずつ大きくなる還り用開口７Ｆが開設され、下端輻射パネル単体７Ａと、上端輻射パネル単体７Ｂは、通気を有する断面略コ字状の部材で構成され、下端輻射パネル単体７Ａの中央には通気を左右部分に分離するブロック７Ｇが配設されていることを特徴とするものである。
【００２４】
請求項１０記載の発明は、請求項９記載の発明において、下方板５Ａにおける往き用連
結口５Ａ２から換気・輻射暖房装置に入った加熱された新鮮空気は、各往き用開口７Ｅを通って上昇するが、通気用仕切り部７において還り用開口７Ｆ方向に分流し還り用開口７Ｆを通り、下方板５Ａにおける還り用連結口５Ａ１から排出し、さらに、最上部に達した温風は、天板における帯状の新鮮空気吹出し口５Ｃ１より室内空間８Ｂ６内に上昇排出され、新鮮空気吹出し口５Ｃ１を窓８Ｂ１１の下方に位置するよう配設すると、上昇排出された新鮮空気によって結露現象を防止することができるよう構成されていることを特徴とするものである。
【発明の効果】
【００２５】
本発明は、上述の通り構成されているので次に記載する効果を奏する。
【００２６】
１．換気・輻射暖房装置に供給される空気（例えば６５℃）は、戻りダクトの経路を通
ることなく自由経路を経て、床下のファンコイルユニットに戻る結果、ダクトの損失抵抗は半減し換気・輻射暖房装置内に供給される空気量が増加した。
【００２７】
その結果、換気・輻射暖房装置表面の輻射効果が増大しただけではなく、エアーパネル
ヒーターを出る時の空気温度（これはもともと室内空気までは熱交換しないので若干高かった）が更に上がった。
【００２８】
その戻り空気が建築の外周からファンコイルに戻ってくる過程において、従来の往き還
りのダクトに穴を開ける方法よりむらなく床面の温度が更に上昇した。
【００２９】
結果として、早く室内温度が設定値に達成することとなり、省エネルギー効果も上がる
こととなる。
【００３０】
床下は結果として、調整された新鮮空気で満たされ、室内の汚れた空気による埃の蓄積
もなく、白あり、ナミダタケなど自然通風まかせの環境とは全く違う、安定した環境を創り出し、建物の耐久性を伸ばす。
【００３１】
窓のサッシの直近から吹き出された調整された空気により窓の結露は従来より大幅に防
止することができるようになった。特に出窓の効果が著しい。
【００３２】
２．目的とする空間に対して、より少ない送気用の電力消費でむらのない暖房効果を上
げることができる。
【００３３】
３．日常において掃除のできない床下空間を常に温度、湿度、空気清浄度について制御
できる。
【００３４】
４．輻射パネル単体はわん曲体を有し、中間連結枠などにたわませて嵌め込む構成にな
っているので、一度建築と一体化したのち内部点検をする場合、当該輻射パネル単体を引っ張って取り外し必要な作業を行うことができる。
【発明を実施するための最良の形態】
【００３５】
以下、本発明の実施の形態を実施例にもとづき図面を参照して説明する。
【００３６】
Ｘ１は第１発明の換気・輻射暖房装置である。
【００３７】
Ｘ１１は第１発明の他の実施例の換気・輻射暖房装置である。
【００３８】
Ｙ１は換気・輻射暖房装置Ｘ１あるいは換気・輻射暖房装置Ｘ１１を用いた第２発明の
換気・輻射暖房システムである。
【００３９】
Ｘ２は第３発明の換気・輻射暖房装置である。
【００４０】
Ｙ２は換気・輻射暖房装置Ｘ２を用いた第４発明の換気・輻射暖房システムである。
【００４１】
Ｘ３は第５発明の換気・輻射暖房装置である。
【００４２】
Ｙ３は換気・輻射暖房装置Ｘ３を用いた第６発明の換気・輻射暖房システムである。
【実施例１】
【００４３】
第１発明の換気・輻射暖房装置Ｘ１を説明する。
【００４４】
図１を参照する。
【００４５】
その構成は、フレーム部１と、新鮮空気導入パイプ部２から構成されている。
【００４６】
Ａ．フレーム部１は、正面左右に長い方形に構成された下方板１Ａと、下方板の左右に
連結起立された側縦板１Ｂと、側縦板の上端に連結された天板１Ｃと、これらの正面に張設された輻射板１Ｄと、背面に張設された背面板１Ｅから構成されている。
【００４７】
さらに、天板１Ｃには左右方向に長い帯状の新鮮空気吹出し口１Ｃ１が形成されている
。
【００４８】
Ｂ．新鮮空気導入パイプ部２は、フレーム部１内の右方側に沿って起立された縦パイプ
２Ａと、縦パイプの上端に左方に向け連結された横パイプ２Ｂと、横パイプの上面に新鮮空気吹出し口１Ｃ１と対応するよう刻設された新鮮空気吹出し用スリット２Ｂ１から構成されている。
【００４９】
フレーム部１の下方板１Ａの右方に往き用連結口１Ａ１が開口され、この往き用連結口
の一部には縦パイプ２Ａの下端が連結されている。
【００５０】
また、下方板１Ａの左方に還り用連結口１Ａ２が開口されている。
【００５１】
Ｃ．この場合、下記のように構成することができる。
【００５２】
ｃ１．他の実施例１〜図２のように、横パイプの上面に刻設された新鮮空気吹出し用ス
リット２Ｂ１に代え、新鮮空気吹出し用小穴２Ｂ２を適数個穿設する。
【００５３】
ｃ２．他の実施例２〜図３のように、新鮮空気導入パイプ部２に代え、ガイドベーン２
Ｃを使用する。
【００５４】
ガイドベーン２Ｃは、フレーム部１内に平行状態で上下方向に仕切った状態で配設され
た適数枚のガイドベーン単体２Ｃ１で構成され、各ガイドベーン単体２Ｃ１の右方端には上方に行くほど少しずつ小さくなる往き用開口２Ｃ１１が開設され、各ガイドベーン単体２Ｃ１のうち一番上のガイドベーン単体以外の各ガイドベーン単体２Ｃ１の左方端には下方に行くほど少しずつ大きくなる還り用開口２Ｃ１２が開設されている。
【００５５】
当然のことながら、往き用開口２Ｃ１１は往き用連結口１Ａ１に連通し、還り用開口２
Ｃ１２は還り用連結口１Ａ２に連通するよう構成されている。
【００５６】
第１発明の換気・輻射暖房装置Ｘ１の作用について説明する。
【００５７】
Ａ．下方板１Ａにおける往き用連結口１Ａ１から換気・輻射暖房装置に入った新鮮空気
の一部は、新鮮空気導入パイプ部２、新鮮空気吹出し用スリット２Ｂ１を通って新鮮空気吹出し口１Ｃ１から室内空間８Ｂ６内に上昇排出される。
【００５８】
また、温風の残りは、換気・輻射暖房装置に入ったのち下方板１Ａにおける還り用連結
口１Ａ２から排出することになる。
【００５９】
Ｂ．新鮮空気吹出し口１Ｃ１を窓８Ｂ１１の下方に位置するよう配設すると、上昇排出
された温風によって結露現象を防止することができる。
【００６０】
第２発明の換気・輻射暖房システムＹ１を説明する。
【００６１】
換気・輻射暖房システムＹ１は、住宅などの建築物８に配設された適数個の換気・輻射
暖房装置Ｘ１あるいは換気・輻射暖房装置Ｘ１１を用いて構成されている。
【００６２】
図４、図５、図６を参照する。
【００６３】
Ａ．住宅などの建築物８は、基礎８Ａと基礎上に建設された建物８Ｂから構成されてい
る。
【００６４】
ａ．基礎８Ａは、当該基礎の外周は断熱材８Ａ１で断熱処理され、基礎内に形成された
底面８Ａ２の下面は断熱材８Ａ１で断熱処理されている。
【００６５】
図中、８Ａ３は床下空間である。
【００６６】
ｂ．建物８Ｂは、所定箇所に窓８Ｂ１１が設けられている壁８Ｂ１と、壁の下面に設け
られた床面８Ｂ２と、壁の上面に設けられた天井面８Ｂ３と、天井面の上面に小屋裏８Ｂ４を介して設けられた屋根８Ｂ５から構成されている。
【００６７】
図中、８Ｂ６は室内空間である。
【００６８】
換気・輻射暖房装置Ｘ１は、室内空間８Ｂ６の壁８Ｂ１の内側に添着状態で起立配設さ
れ、換気・輻射暖房装置Ｘ１における還り用連結口１Ａ２は、パイプＰを介して床面８Ｂ２内と連通されている。
【００６９】
この場合、換気・輻射暖房装置Ｘ１は窓８Ｂ１１の下方に位置する場合と、位置しない
場合がある。
【００７０】
一方、床下空間８Ａ３には、熱交換器９と、ファンコイルユニット１０が配設されてい
る。
【００７１】
Ａ．熱交換器９は、供給空気と排気との間で熱交換するための供給空気用パイプ９Ａと
排気用パイプ９Ｂが設けられ、供給空気用パイプ９Ａの一方端には外気に連通している新鮮空気導入パイプ９Ｃが連結され、排気用パイプ９Ｂの一方端には外気に連通している排気パイプ９Ｄが連結されている。
【００７２】
Ｂ．ファンコイルユニット１０の一方には、先端に逆止ダンパ１０Ａ１を有する床下空
気導入パイプ１０Ａが連結され、他方には先端が密閉されている往きパイプ１０Ｂが引出されている。
【００７３】
Ｃ．熱交換器９の供給空気用パイプ９Ａと床下空気導入パイプ１０Ａは、第１連結パイ
プ１１で連結されている。
【００７４】
Ｄ．ファンコイルユニット１０の往きパイプ１０Ｂは、当該往きパイプから分岐された
第２連結パイプ１２を介して換気・輻射暖房装置Ｘ１における往き用連結口１Ａ１に連結されている。
【００７５】
なお、システムの説明上、リバースリターン方式でリターンダクトを省略した状態のも
のを図示したが、チャンバーを設けるパラレルダクト方式を採用しても原理的には同様である。
【００７６】
Ｅ．建物８Ｂにおける小屋裏８Ｂ４から床下空間８Ａ３間に配管された還りパイプ１３
の上端は、室内空間８Ｂ６に向け天井面８Ｂ３に設けられた天井吸気口１３Ａに連結され、下端は熱交換器９における排気用パイプ９Ｂの他方端に連結されている。
【００７７】
第２発明の換気・輻射暖房システムＹ１の作用について説明する。
【００７８】
Ａ．新鮮空気導入パイプ９Ｃから導入された新鮮空気は、熱交換器９で熱交換され、フ
ァンコイルユニット１０で加熱され、往きパイプ１０Ｂ、第２連結パイプ１２を通って換気・輻射暖房装置Ｘ１、Ｘ１１における往き用連結口１Ａ１に導入される。
【００７９】
Ｂ．下方板１Ａにおける往き用連結口１Ａ１から換気・輻射暖房装置に入った温風の一
部は、新鮮空気導入パイプ部２、新鮮空気吹出し用スリット２Ｂ１を通って新鮮空気吹出し口１Ｃ２から室内空間８Ｂ６内に上昇排出される。
【００８０】
また、新鮮空気の残りは、換気・輻射暖房装置に入ったのち下方板１Ａにおける還り用
連結口１Ａ２から排出することになる。
【００８１】
Ｃ．室内空間８Ｂ６内に排出された新鮮空気は、室内空間８Ｂ６内を上昇し、天井吸気
口１３Ａで吸気され、還りパイプ１３を通り熱交換器９に至り、新鮮空気導入パイプ９Ｃから導入された新鮮空気と熱交換したのち排気パイプ９Ｄより外気に排出される。
【００８２】
Ｄ．新鮮空気吹出し口１Ｃ１が窓８Ｂ１１の下方に位置するよう配設されている場合、
上昇排出された新鮮空気によって結露現象を防止することができる。
【００８３】
第３発明の換気・輻射暖房装置Ｘ２について説明する。
【００８４】
その構成は、第１フレーム部３と、第１輻射パネル部４から構成されている。
【００８５】
Ａ．第１フレーム部３は、正面左右に長い方形に構成された下方板３Ａと、下方板の左
右に連結起立された側縦板３Ｂと、側縦板の上端に連結された天板３Ｃと、これらの背面に張設された背面板３Ｄから構成されている。
【００８６】
そして、下方板３Ａにおける左方端近傍には還り用連結口３Ａ１が、また、右方端近傍
には往き用連結口３Ａ２が開設されている。
【００８７】
さらに、天板３Ｃの後方辺には左右方向に長い帯状の新鮮空気吹出し口３Ｃ１が形成さ
れている。
【００８８】
なお、現場によっては、下方板３Ａにおける右方端近傍には還り用連結口３Ａ１を、ま
た、左方端近傍には往き用連結口３Ａ２を開設する場合もあることは当然である。
【００８９】
Ｂ．第１輻射パネル部４は、第１フレーム部３内に平行状態で上下方向をもって水平に
配設された輻射パネル単体４Ａと、上下に位置する輻射パネル単体４Ａ、４Ａ間に配される中間連結枠４Ｂと、最下位の輻射パネル単体の下面に配される下端水平枠４Ｃと、最上位の輻射パネル単体の上面に配される上端水平枠４Ｄから構成されている。
【００９０】
ａ．輻射パネル単体４Ａは、正面横長方形の面板体４Ａ１と、面板体の上辺に連設され
た断面略逆Ｕ字状の上方わん曲体４Ａ２と、面板体の下辺に連設された断面略Ｕ字状の下方わん曲体４Ａ３から構成されている。
【００９１】
ｂ．中間連結枠４Ｂは、水平板体４Ｂ１と、後方板体４Ｂ２から構成されている。
【００９２】
ｂ１．水平板体４Ｂ１は、輻射パネル単体４Ａを上下方向に併設した場合、下方に位置
する輻射パネル単体４Ａの上方わん曲体４Ａ２の上面と、上方に位置する輻射パネル単体４Ａの下方わん曲体４Ａ３の下面との間で挟持される寸法に構成され、当該水平板体４Ｂ１の下面には上方わん曲体４Ａ２の上面が嵌合する下向きわん曲面４Ｂ１１が形成され、水平板体４Ｂ１の上面には下方わん曲体４Ａ３の下面が嵌合する上向きわん曲面４Ｂ１２が形成されている。
【００９３】
ｂ２．後方板体４Ｂ２は、水平板体４Ｂ１と同じ長さの正面横長方形の垂直板４Ｂ２１
と、垂直板の後辺に折曲げ線４Ｂ２２を介して斜め下方に向け連結された傾斜板４Ｂ２３から構成され、傾斜板４Ｂ２３における左方端近傍には還り用開口４Ｂ２Ｋが、また、傾斜板４Ｂ２３における右方端近傍には往き用開口４Ｂ２Ｕが開設され、垂直板４Ｂ２１は、水平板体４Ｂ１の後方辺に、折曲げ線４Ｂ２２が輻射パネル単体４Ａにおける上方わん曲体４Ａ２の後端に接する状態で連結されている。
【００９４】
ｂ２１．還り用開口４Ｂ２Ｋと下方板３Ａの還り用連結口３Ａ１の位置が一致し、往き
用開口４Ｂ２Ｕと下方板３Ａの往き用連結口３Ａ２の位置が一致するよう構成されている。
【００９５】
ｂ２２．各傾斜板４Ｂ２３に開口されている還り用開口４Ｂ２Ｋと往き用開口４Ｂ２Ｕ
は、最下方の開口が一番大きく上方に行くほど少しずつ小さくなるよう構成されている。
【００９６】
ｂ２３．最上端に位置する傾斜板４Ｂ２３には、右方端近傍に往き用開口４Ｂ２Ｕのみ
が開設されている。
【００９７】
ｃ．下端水平枠４Ｃは、中間連結枠４Ｂにおける水平板体４Ｂ１と同一に構成された水
平板体４Ｃ１と、水平板体の後方辺に連結された正面横長方形の垂直板４Ｃ２から構成されている。
【００９８】
ｄ．上端水平枠４Ｄは、中間連結枠４Ｂにおける水平板体４Ｂ１と同一に構成された水
平板体４Ｄ１と、水平板体の後方辺の上下に連結された突条４Ｄ２から構成されている。
【００９９】
図中、４Ｅは中間連結枠４Ｂ、水平板体４Ｂ１、後方板体４Ｂ２の両端を支持する縦枠
で、左右の側縦板４Ｂの内側に取付けられている。
【０１００】
第３発明の換気・輻射暖房装置Ｘ２の作用について説明する。
【０１０１】
Ａ．下方板３Ａにおける往き用連結口３Ａ２から換気・輻射暖房装置に入った温風は、
各往き用開口４Ｂ２Ｕを通って上昇するが、各輻射パネル単体４Ａにおいて還り用開口４Ｂ２Ｋ方向に分流し還り用開口４Ｂ２Ｋを通り、下方板３Ａにおける還り用連結口３Ａ１から排出することになる。
【０１０２】
さらに、最上部に位置する輻射パネル単体４Ａまで達した新鮮空気は、天板における帯
状の新鮮空気吹出し口３Ｃ１より室内空間８Ｂ６内に上昇排出される。
【０１０３】
Ｂ．新鮮空気吹出し口３Ｃ１を窓８Ｂ１１の下方に位置するよう配設すると、上昇排出
された新鮮空気によって結露現象を防止することができる。
【０１０４】
第４発明の換気・輻射暖房システムＹ２について説明する。
【０１０５】
換気・輻射暖房システムＹ２は、住宅などの建築物８に配設された適数個の換気・輻射
暖房装置Ｘ２を用いて構成されている。
【０１０６】
Ａ．住宅などの建築物８は、基礎８Ａと基礎上に建設された建物８Ｂから構成されてい
る。
【０１０７】
ａ．基礎８Ａは、当該基礎の外周は断熱材８Ａ１で断熱処理され、基礎内に形成された
底面８Ａ２の下面は断熱材８Ａ１で断熱処理されている。
【０１０８】
図中、８Ａ３は床下空間である。
【０１０９】
ｂ．建物８Ｂは、所定箇所に窓８Ｂ１１が設けられている壁８Ｂ１と、壁の下面に設け
られた床面８Ｂ２と、壁の上面に設けられた天井面８Ｂ３と、天井面の上面に小屋裏８Ｂ４を介して設けられた屋根８Ｂ５から構成されている。図中、８Ｂ６は室内空間である。  
【０１１０】
換気・輻射暖房装置Ｘ２は、室内空間８Ｂ６の壁８Ｂ１の内側に添着状態で起立配設さ
れ、換気・輻射暖房装置Ｘ２における還り用連結口３Ａ１は、パイプＰを介して床面８Ｂ２内と連通されている。
【０１１１】
この場合、換気・輻射暖房装置Ｘ２は窓８Ｂ１１の下方に位置する場合と、位置しない
場合がある。
【０１１２】
一方、床下空間８Ａ３には、熱交換器９と、ファンコイルユニット１０が配設されてい
る。
【０１１３】
Ａ．熱交換器９は、供給空気と排気との間で熱交換するための供給空気用パイプ９Ａと
排気用パイプ９Ｂが設けられ、供給空気用パイプ９Ａの一方端には外気に連通している新鮮空気導入パイプ９Ｃが連結され、排気用パイプ９Ｂの一方端には外気に連通している排気パイプ９Ｄが連結されている。
【０１１４】
Ｂ．ファンコイルユニット１０の一方には、先端に逆止ダンパ１０Ａ１を有する床下空
気導入パイプ１０Ａが連結され、他方には先端が密閉されている往きパイプ１０Ｂが引出されている。
【０１１５】
Ｃ．熱交換器９の供給空気用パイプ９Ａと床下空気導入パイプ１０Ａは、第１連結パイ
プ１１で連結されている。
【０１１６】
Ｄ．ファンコイルユニット１０の往きパイプ１０Ｂは、当該往きパイプから分岐された
第２連結パイプ１２を介して換気・輻射暖房装置Ｘ２における往き用連結口３Ａ２に連結されている。
【０１１７】
Ｅ．建物８Ｂにおける小屋裏８Ｂ４から床下空間８Ａ３間に配管された還りパイプ１３
の上端は、室内空間８Ｂ６に向け天井面８Ｂ３に設けられた天井吸気口１３Ａに連結され、下端は熱交換器９における排気用パイプ９Ｂの他方端に連結されている。
【０１１８】
なお、システムの説明上、リバースリターン方式でリターンダクトを省略した状態のも
のを図示したが、チャンバーを設けるパラレルダクト方式を採用しても原理的には同様である。
【０１１９】
第４発明の換気・輻射暖房システムＹ２の作用について説明する。
【０１２０】
Ａ．新鮮空気導入パイプ９Ｃから導入された新鮮空気は、熱交換器９で熱交換され、フ
ァンコイルユニット１０で加熱され、往きパイプ１０Ｂ、第２連結パイプ１２を通って換気・輻射暖房装置Ｘ２における往き用連結口３Ａ２に導入される。
【０１２１】
Ｂ．下方板３Ａにおける往き用連結口３Ａ２から換気・輻射暖房装置に入った加熱され
た新鮮空気は、各往き用開口４Ｂ２Ｕを通って上昇するが、各輻射パネル単体４Ａにおいて還り用開口４Ｂ２Ｋ方向に分流し還り用開口４Ｂ２Ｋを通り、下方板３Ａにおける還り用連結口３Ａ１から排出することになる。
【０１２２】
さらに、最上部に位置する輻射パネル単体４Ａまで達した新鮮空気は、天板における帯
状の新鮮空気吹出し口３Ｃ１より室内空間８Ｂ６内に上昇排出される。
【０１２３】
Ｃ．室内空間８Ｂ６内に排出された新鮮空気は、室内空間８Ｂ６内を上昇し、天井吸気
口１３Ａで吸気され、還りパイプ１３を通り熱交換器９に至り、新鮮空気導入パイプ９Ｃから導入された新鮮空気と熱交換したのち排気パイプ９Ｄより外気に排出される。
【０１２４】
Ｄ．新鮮空気吹出し口３Ｃ１を窓８Ｂ１１の下方に位置するよう配設されている場合、
上昇排出された新鮮空気によって結露現象を防止することができる。
【０１２５】
第５発明の換気・輻射暖房装置Ｘ３を説明する。
【０１２６】
図１６〜図２０を参照する。
【０１２７】
その構成は、第２フレーム部５と、第２輻射パネル部６と、通気用仕切り部７から構成
されている。
【０１２８】
Ａ．第２フレーム部５は、正面左右に長い方形に構成された下方板５Ａと、下方板の左
右に連結起立された側縦板５Ｂと、側縦板の上端に連結された天板５Ｃと、これらの背面に張設された背面板５Ｄから構成されている。
【０１２９】
そして、下方板５Ａにおける左方端近傍には還り用連結口５Ａ１が、また、右方端近傍
には往き用連結口５Ａ２が開設されている。
【０１３０】
さらに、天板５Ｃの後方辺には左右方向に長い帯状の新鮮空気吹出し口５Ｃ１が形成さ
れている。
【０１３１】
Ｂ．第２輻射パネル部６は、第２フレーム部５内の正面部分に平行状態で左右方向に配
設された適数枚の輻射パネル単体６Ａと、適数本の縦連結枠６Ｂから構成されている。
【０１３２】
ａ．輻射パネル単体６Ａは、正面縦長方形の面板体６Ａ１と、面板体の左右辺に後方に
向け形成された断面略Ｕ字状のわん曲体６Ａ２から構成されている。
【０１３３】
ｂ．縦連結枠６Ｂは、横断面がクサビ状に構成された縦棒状に構成され、輻射パネル単
体６Ａを左右方向に併設した場合、左方に位置する輻射パネル単体における右のわん曲体６Ａ２と、右方に位置する輻射パネル単体における左のわん曲体６Ａ２との間で挟持されるよう構成されている。
【０１３４】
Ｃ．通気用仕切り部７は、左右方向に連設された輻射パネル単体６Ａの背面において、
最下位に水平状態で配された下端輻射パネル単体７Ａと、最上位に水平状態で配された上端輻射パネル単体７Ｂと、これらの間に配された中間輻射パネル単体７Ｃから構成されている。
【０１３５】
ａ．各輻射パネル単体の正面側辺には、輻射パネル単体６Ａを左右に連設した時、連設
状態になる右のわん曲体６Ａ２と左のわん曲体６Ａ２を挟持する切欠き７Ｄが刻設されている。
【０１３６】
ｂ．各輻射パネル単体の右方端には上方に行くほど少しずつ小さくなる往き用開口７Ｅ
が開設され、各輻射パネル単体のうち、上端輻射パネル単体７Ｂ以外の各輻射パネル単体の左方端には下方に行くほど少しずつ大きくなる還り用開口７Ｆが開設されている。
【０１３７】
当然のことながら、往き用開口７Ｅは往き用連結口５Ａ２に連通し、還り用開口７Ｆは
還り用連結口５Ａ１に連通するよう構成されている。
【０１３８】
なお、現場によっては、図示は省略するが、各輻射パネル単体の左方端には上方に行く
ほど少しずつ小さくなる往き用開口７Ｅを開設し、各輻射パネル単体のうち、上端輻射パネル単体７Ｂ以外の各輻射パネル単体の右方端には下方に行くほど少しずつ大きくなる還り用開口７Ｆを開設することができるのは当然である。
【０１３９】
ｃ．下端輻射パネル単体７Ａと、上端輻射パネル単体７Ｂは、通気を有する断面略コ字
状の部材で構成されている。
【０１４０】
７Ｇは下端輻射パネル単体７Ａの中央に配設した通気を左右部分に分離するブロックで
ある。
【０１４１】
第５発明の換気・輻射暖房装置Ｘ３の作用について説明する。
【０１４２】
Ａ．下方板５Ａにおける往き用連結口５Ａ２から換気・輻射暖房装置に入った加熱され
た新鮮空気は、各往き用開口７Ｅを通って上昇するが、通気用仕切り部７において還り用開口７Ｆ方向に分流し還り用開口７Ｆを通り、下方板５Ａにおける還り用連結口５Ａ１から排出することになる。
【０１４３】
さらに、最上部に達した新鮮空気は、天板における帯状の新鮮空気吹出し口５Ｃ１より
室内空間８Ｂ６内に上昇排出される。
【０１４４】
Ｂ．新鮮空気吹出し口５Ｃ１を窓８Ｂ１１の下方に位置するよう配設すると、上昇排出
された新鮮空気によって結露現象を防止することができる。
【０１４５】
第６発明の換気・輻射暖房システムＹ３を説明する。
【０１４６】
換気・輻射暖房システムＹ３は、住宅などの建築物８に配設された適数個の換気・輻射
暖房装置Ｘ３を用いて構成されている。
【０１４７】
Ａ．住宅などの建築物８は、基礎８Ａと基礎上に建設された建物８Ｂから構成されてい
る。
【０１４８】
ａ．基礎８Ａは、当該基礎の外周は断熱材８Ａ１で断熱処理され、基礎内に形成された
底面８Ａ２の下面は断熱材８Ａ１で断熱処理されている。
【０１４９】
図中、８Ａ３は床下空間である。
【０１５０】
ｂ．建物８Ｂは、所定箇所に窓８Ｂ１１が設けられている壁８Ｂ１と、壁の下面に設け
られた床面８Ｂ２と、壁の上面に設けられた天井面８Ｂ３と、天井面の上面に小屋裏８Ｂ４を介して設けられた屋根８Ｂ５から構成されている。
【０１５１】
図中、８Ｂ６は室内空間である。
【０１５２】
換気・輻射暖房装置Ｘ３は、室内空間８Ｂ６の壁８Ｂ１の内側に添着状態で起立配設さ
れ、換気・輻射暖房装置Ｘ３における還り用連結口５Ａ１は、パイプＰを介して床面８Ｂ２内と連通されている。
【０１５３】
この場合、換気・輻射暖房装置Ｘ３は窓８Ｂ１１の下方に位置する場合と、位置しない
場合がある。
【０１５４】
一方、床下空間８Ａ３には、熱交換器９と、ファンコイルユニット１０が配設されてい
る。
【０１５５】
Ａ．熱交換器９は、供給空気と排気との間で熱交換するための供給空気用パイプ９Ａと
排気用パイプ９Ｂが設けられ、供給空気用パイプ９Ａの一方端には外気に連通している新鮮空気導入パイプ９Ｃが連結され、排気用パイプ９Ｂの一方端には外気に連通している排気パイプ９Ｄが連結されている。
【０１５６】
Ｂ．ファンコイルユニット１０の一方には、先端に逆止ダンパ１０Ａ１を有する床下空
気導入パイプ１０Ａが連結され、他方には先端が密閉されている往きパイプ１０Ｂが引出されている。
【０１５７】
Ｃ．熱交換器９の供給空気用パイプ９Ａと床下空気導入パイプ１０Ａは、第１連結パイ
プ１１で連結されている。
【０１５８】
Ｄ．ファンコイルユニット１０の往きパイプ１０Ｂは、当該往きパイプから分岐された
第２連結パイプ１２を介して換気・輻射暖房装置Ｘ３における往き用連結口５Ａ２に連結されている。
【０１５９】
なお、システムの説明上、リバースリターン方式でリターンダクトを省略した状態のも
のを図示したが、チャンバーを設けるパラレルダクト方式を採用しても原理的には同様である。
【０１６０】
Ｅ．建物８Ｂにおける小屋裏８Ｂ４から床下空間８Ａ３間に配管された還りパイプ１３
の上端は、室内空間８Ｂ６に向け天井面８Ｂ３に設けられた天井吸気口１３Ａに連結され、下端は熱交換器９における排気用パイプ９Ｂの他方端に連結されている。
【０１６１】
第６発明の換気・輻射暖房システムＹ３の作用について説明する。
【０１６２】
Ａ．新鮮空気導入パイプ９Ｃから導入された新鮮空気は、熱交換器９で熱交換され、フ
ァンコイルユニット１０で加熱され、往きパイプ１０Ｂ、第２連結パイプ１２を通って換気・輻射暖房装置Ｘ３における往き用連結口５Ａ２に導入される。
【０１６３】
Ｂ．下方板５Ａにおける往き用連結口５Ａ２から換気・輻射暖房装置に入った加熱され
た新鮮空気は、各往き用開口７Ｅを通って上昇するが、通気用仕切り部７において還り用開口７Ｆ方向に分流し還り用開口７Ｆを通り、下方板５Ａにおける還り用連結口５Ａ１から排出することになる。
【０１６４】
さらに、最上部に達した新鮮空気は、天板における帯状の新鮮空気吹出し口５Ｃ１より
室内空間８Ｂ６内に上昇排出される。
【０１６５】
Ｂ．新鮮空気吹出し口５Ｃ１を窓８Ｂ１１の下方に位置するよう配設すると、上昇排出
された新鮮空気によって結露現象を防止することができる。
【０１６６】
Ｃ．室内空間８Ｂ６内に排出された新鮮空気は、室内空間８Ｂ６内を上昇し、天井吸気
口１３Ａで吸気され、還りパイプ１３を通り熱交換器９に至り、新鮮空気導入パイプ９Ｃから導入された新鮮空気と熱交換したのち排気パイプ９Ｄより外気に排出される。
【０１６７】
Ｄ．新鮮空気吹出し口５Ｃ１が窓８Ｂ１１の下方に位置するよう配設されている場合、
上昇排出された新鮮空気によって結露現象を防止することができる。
【図面の簡単な説明】
【０１６８】
【図１】第１発明の背面方向から見た１部を切欠いた斜視図である。
【図２】他の実施例の１部を切欠いた斜視図である。
【図３】他の実施例の縦断面図である。
【図４】第２発明の縦断面図である。
【図５】同上の一部を切欠いた斜視図である。
【図６】同上の他の実施例の一部を切欠いた斜視図である。
【図７】第３発明の斜視図である。
【図８】同上の背面方向から見た分解斜視図である。
【図９】図８の分解斜視図である。
【図１０】拡大縦断面図である。
【図１１】中間連結枠の拡大縦断面図である。
【図１２】下端連結枠の拡大縦断面図である。
【図１３】上端連結枠の拡大縦断面図である。
【図１４】第４発明の縦断面図である。
【図１５】同上の一部を切欠いた斜視図である。
【図１６】第５発明の斜視図である。
【図１７】背面方向から見た斜視図である。
【図１８】背面方向から見た分解斜視図である。
【図１９】拡大縦断面図である。
【図２０】背面方向から見た要部拡大横断面図である。
【図２１】同上の要部拡大図である。
【図２２】縦連結枠の要部拡大斜視図である。
【図２３】第６発明の縦断面図である。
【図２４】同上の一部を切欠いた斜視図である。
【図２５】輻射暖房の基本であるが結露防止効果がない状態の概念図である。
【図２６】結露防止効果はあるが一部汚れた部屋の空気が還流する状態の概念図である。
【符号の説明】
【０１６９】
Ｘ１  第１発明の換気・輻射暖房装置
Ｘ１１  第１発明の他の実施例の換気・輻射暖房装置
Ｙ１  第２発明の換気・輻射暖房システム
１  フレーム部
２  新鮮空気導入パイプ部
８  住宅などの建築物
Ｘ２  第３発明の換気・輻射暖房装置
Ｙ２  第４発明の換気・輻射暖房システム
３  第１フレーム部
４  第１輻射パネル部
Ｘ３  第５発明の換気・輻射暖房装置
Ｙ３  第６発明の換気・輻射暖房システム
５  第２フレーム部
６  第２輻射パネル部
【図１】
2005077045.tif 000003
【図２】
2005077045.tif 000004
【図３】
2005077045.tif 000005
【図４】
2005077045.tif 000006
【図５】
2005077045.tif 000007
【図６】
2005077045.tif 000008
【図７】
2005077045.tif 000009
【図８】
2005077045.tif 000010
【図９】
2005077045.tif 000011
【図１０】
2005077045.tif 000012
【図１１】
2005077045.tif 000013
【図１２】
2005077045.tif 000014
【図１３】
2005077045.tif 000015
【図１４】
2005077045.tif 000016
【図１５】
2005077045.tif 000017
【図１６】
2005077045.tif 000018
【図１７】
2005077045.tif 000019
【図１８】
2005077045.tif 000020
【図１９】
2005077045.tif 000021
【図２０】
2005077045.tif 000022
【図２１】
2005077045.tif 000023
【図２２】
2005077045.tif 000024
【図２３】
2005077045.tif 000025
【図２４】
2005077045.tif 000026
【図２５】
2005077045.tif 000027
【図２６】
2005077045.tif 000028